(57)【要約】【課題】フレームからフード部を外れにくくし、フード部の大きさを違和感のない大きさとし、着用者の視認性も高めた新たなフード付き眼鏡を提供する。【解決手段】レンズ１１を保持するフレーム部１２に被着用者Ｈの顔面Ｆ側に延設された筒状の保護フード部３０を一体に備えたフード付き眼鏡１０であって、保護フード部３０をフレーム部と同一の樹脂材料によって一体に形成し、フレーム部の外周枠部１５の外縁１６から０．５〜２ｍｍの段差部１７を介して内周側へ縮径した内周保護フード部３１として形成し、内周保護フード部３１の上側部分３２の下面３３を、フレーム部の内周と面一に形成し、内周保護フード部のテンプル２０側である外側部分４１，４２を他の部分より筒状に大きく形成し、内周保護フード部のブリッジ１９側である内側部分４３，４４を鼻当て部４６，４７として一体形成する。【選択図】図１
2014240886.tif 000002
【特許請求の範囲】
【請求項１】
レンズを保持するフレーム部に被着用者の顔面側に延設された筒状の保護フード部を一体に備えたフード付き眼鏡であって、
前記保護フード部は前記フレーム部と同一の樹脂材料によって一体に形成されているとともに、前記フレーム部の外周枠部の外縁から段差部を介してその内周側へ縮径した内周保護フード部として形成されている
ことを特徴とするフード付き眼鏡。
【請求項２】
前記段差部が、０．５〜２ｍｍである請求項１に記載のフード付き眼鏡。
【請求項３】
前記内周保護フード部の上側部分の下面が、フレーム部の内周と面一に形成されている請求項１または２に記載のフード付き眼鏡。
【請求項４】
前記内周保護フード部のテンプル側である外側部分が他の部分より筒状に大きく形成されている請求項１ないし３のいずれか１項に記載のフード付き眼鏡。
【請求項５】
前記内周保護フード部のブリッジ側である内側部分が鼻当て部として一体形成されている請求項１ないし４のいずれか１項に記載のフード付き眼鏡。
【請求項６】
前記内周保護フード部の縁部が被着用者の眼窩に対し環状に接する曲面形状に形成されている請求項１ないし５のいずれか１項に記載のフード付き眼鏡。
【請求項７】
前記内周保護フード部の鼻当て部が当該内周保護フード部を構成する樹脂材料よりも柔軟な樹脂材料から構成されている請求項１ないし６のいずれか１項に記載のフード付き眼鏡。
【発明の詳細な説明】
【技術分野】
【０００１】
本発明はフード付き眼鏡に関し、特に眼鏡のフレームとフードを一体に備えたフード付き眼鏡に関する。
【背景技術】
【０００２】
レンズを保持するフレーム（あるいはリムとも称する。）にフード部を備えたフード付き眼鏡は、防塵、花粉症対策、スポーツ時の目の保護等の用途で広く活用されている。また、眼科手術後の保護用品としても利用されている（特許文献１参照）。一般にフード付き眼鏡は、フレームとフード部を同一の樹脂材料として全体が一体に成形される。フレームはレンズを保持する都合上、撓み変形を生じにくくするため、硬質の樹脂材料から形成され、そのまま同じ樹脂材料によりフード部も形成される。このような一体成形されたフード付き眼鏡によると、フード部の大きさはフレームに依存した大きさになるため、一般に眼球周辺の皮膚が大きく覆われる。
【０００３】
フード付き眼鏡は眼球保護の目的から、顔面の眼窩の周辺の皮膚に密着あるいは僅かな距離で近接する。フード付き眼鏡に衝撃が加わり必要以上に顔面側に近づいた場合、フード部が顔面と接触して皮膚等が逆に傷つけられやすくなる。眼球周辺の皮膚を覆う都合上、フード部は不可避的に被着用者の顔面側に突き出た形態となる。また、フード部は大きく成形されると眉周辺と接触することとなり、まぶた等のやわらかい箇所に比べて傷つけられやすくなるおそれがある。
【０００４】
このような、フード部に起因する問題への対処として、フード部をフレームよりも軟質の樹脂から形成したフード付き眼鏡が提案されている（特許文献２等参照）。この種類のフード付き眼鏡によると、フード部に樹脂弾性が伴うことにより、顔面への密着性の向上と衝撃吸収効果も備わることとなり、使い勝手や眼鏡の装着感はより良くなる。
【０００５】
例えば、特許文献２に代表される眼鏡のように、フレームとフード部に異なる樹脂を使用したフード付き眼鏡がある。一般に、フレームとフード部を別々は成形され、フレームに柔軟な樹脂製等のフード部が嵌着される。また、フード部はフレームに嵌着されるため、フレームと比較しても大きく形成される。そのため、フード部の位置ずれや脱落等を完全に回避することは難しい。そのことから、フード付き眼鏡をフード部が外れないように装着しなければならず、かえって使用感が悪くなる点も指摘されている。加えて、部品の組み立て等の工程も加わることから、コスト高にもなりやすい。
【０００６】
そこで、眼鏡を構成する材料に起因する構造上の問題及び使いやすさの問題に対応し、さらに、加工の簡便さ等を向上させた新たなフード付き眼鏡を提案する。
【先行技術文献】
【特許文献】
【０００７】
【特許文献１】実用新案登録第３０９２７２４号公報
【特許文献２】特許第４０９５８５４号公報
【発明の概要】
【発明が解決しようとする課題】
【０００８】
本発明は、前記の点に鑑みなされたものであり、フード付き眼鏡においてフード部の大きさをフレームとの関係から違和感のない大きさとし、フレームからフード部を外れにくくしてフード付き眼鏡を装着しやすくし、さらに成形が容易である新たなフード付き眼鏡を提供する。
【課題を解決するための手段】
【０００９】
すなわち、請求項１の発明は、レンズを保持するフレーム部に被着用者の顔面側に延設された筒状の保護フード部を一体に備えたフード付き眼鏡であって、前記保護フード部は前記フレーム部と同一の樹脂材料によって一体に形成されているとともに、前記フレーム部の外周枠部の外縁から段差部を介してその内周側へ縮径した内周保護フード部として形成されていることを特徴とするフード付き眼鏡に係る。
【００１０】
請求項２の発明は、前記段差部が、０．５〜２ｍｍである請求項１に記載のフード付き眼鏡に係る。
【００１１】
請求項３の発明は、前記内周保護フード部の上側部分の下面が、フレーム部の内周と面一に形成されている請求項１または２に記載のフード付き眼鏡に係る。
【００１２】
請求項４の発明は、前記内周保護フード部のテンプル側である外側部分が他の部分より筒状に大きく形成されている請求項１ないし３のいずれか１項に記載のフード付き眼鏡に係る。
【００１３】
請求項５の発明は、前記内周保護フード部のブリッジ側である内側部分が鼻当て部として一体形成されている請求項１ないし４のいずれか１項に記載のフード付き眼鏡に係る。
【００１４】
請求項６の発明は、前記内周保護フード部の縁部が被着用者の眼窩に対し環状に接する曲面形状に形成されている請求項１ないし５のいずれか１項に記載のフード付き眼鏡に係る。
【００１５】
請求項７の発明は、前記内周保護フード部の鼻当て部が当該内周保護フード部を構成する樹脂材料よりも柔軟な樹脂材料から構成されている請求項１ないし６のいずれか１項に記載のフード付き眼鏡に係る。
【発明の効果】
【００１６】
請求項１の発明に係るフード付き眼鏡によると、レンズを保持するフレーム部に被着用者の顔面側に延設された筒状の保護フード部を一体に備えたフード付き眼鏡であって、前記保護フード部は前記フレーム部と同一の樹脂材料によって一体に形成されているとともに、前記フレーム部の外周枠部の外縁から段差部を介してその内周側へ縮径した内周保護フード部として形成されている。このため、保護フード部が小さくなり、正面から保護フード部は視認されにくく、デザイン性が高くなる。また、フレーム部から保護フード部が外れにくくなり装着しやすい。さらには成形が容易である。
【００１７】
請求項２の発明に係るフード付き眼鏡によると、請求項１の発明において、前記段差部が、０．５〜２ｍｍであるため、フレーム部に隠れて保護フード部は目立ちにくくなる。
【００１８】
請求項３の発明に係るフード付き眼鏡によると、請求項１又は２の発明において、前記内周保護フード部の上側部分の下面が、フレーム部の内周と面一に形成されているため、フレーム部との一体性が高まり、内周保護フード部の強度が向上し、内周保護フード部は割れたり欠けたりしにくくなる。
【００１９】
請求項４の発明に係るフード付き眼鏡によると、請求項１ないし３のいずれかの発明において、前記内周保護フード部のテンプル側である外側部分が他の部分より筒状に大きく形成されているため、被着用者の目尻側まで覆い保護範囲を広げることができる。
【００２０】
請求項５の発明に係るフード付き眼鏡によると、請求項１ないし４のいずれかの発明において、前記内周保護フード部のブリッジ側である内側部分が鼻当て部として一体形成されていることから、構造が簡単であり、成形が容易で強度が向上する。
【００２１】
請求項６の発明に係るフード付き眼鏡によると、請求項１ないし５のいずれかの発明において、前記内周保護フード部の縁部が被着用者の眼窩に対し環状に接する曲面形状に形成されているため、目に小さなゴミや埃が入りにくく、目の保護性能が高まる。
【００２２】
請求項７の発明に係るフード付き眼鏡によると、請求項１ないし６のいずれかの発明において、前記内周保護フード部の鼻当て部が当該内周保護フード部を構成する樹脂材料よりも柔軟な樹脂材料から構成されているため、該フード付き眼鏡を着用した時に跡がつきにくくなり鼻に加わる負担が小さくなる。
【図面の簡単な説明】
【００２３】
【図１】本発明のフード付き眼鏡の背面側からの全体斜視図である。
【図２】フレーム部の正面図である。
【図３】フード部付近の上面図である。
【図４】フレーム部の背面図である。
【図５】フード部を含むフレーム部の縦端面図である。
【図６】フード付き眼鏡の右側面図である。
【図７】フード付き眼鏡の着用時の左側からの部分概要図である。
【図８】フード付き眼鏡の着用時の上側からの部分概要図である。
【図９】他の実施例のフード付き眼鏡の主要上面図である。
【発明を実施するための形態】
【００２４】
本発明のフード付き眼鏡１０の構造について、図１の全体斜視図及び図２の正面図を用い順に説明する。フレーム部１２は右フレーム部１３と左フレーム１４から形成され、ブリッジ１９により左右のフレーム部１３，１４同士は接続される。レンズ１１のうち、右レンズ１１Ｒは右フレーム部１３に保持され、左レンズ１１Ｌは左フレーム部１４に保持される。
【００２５】
フレーム部１２は、公知の眼鏡フレームとして使用可能な樹脂材料であればいずれも使用可能である。例えば、グリルアミド等のポリアミド系樹脂、ポリカーボネート樹脂、アクリル樹脂等が例示される。
【００２６】
フレーム部１２の左右には、智２５（ヨロイとも称される。）が設けられる。右フレーム部１３には右側智２６が設けられ、左フレーム１４部には左側智２７が設けられる。図示の例では、フレーム部１２（１３，１４）は樹脂製であり、智２５（２６，２７）は当該フレーム部と一体に成形される。このため、フード付き眼鏡１０を構成する部品が少なく、容易に製造することができる。
【００２７】
フレーム部１２を被着用者の顔面側に保持するテンプル２０はヒンジ２８を介して智（ヨロイ）２５に接続される。テンプル２０は右テンプル２１と左テンプル２２からなる。図示の眼鏡では、ヒンジ２８による接続のため、テンプル２０（２１，２２）の折り畳みは可能である（図３参照）。図２中、符号１５は外周枠部、１６は外縁である。
【００２８】
また、保護フード部３０は、請求項１の発明に規定するように、フレーム部１２と一体に形成されている。保護フード部３０は、フレーム部１２から被着用者Ｈの顔面側Ｆに向けて延設されて眼球の周辺と眼鏡との隙間を覆うことにより（図８参照）、小さなゴミや埃等の異物から眼球を保護する。フレーム部１２と保護フード部３０が一体形成されるため、保護フード部３０はフレーム部１２から外れにくく装着しやすくなり使いやすい。
【００２９】
続いて、図３の上面図、図４の背面図を用い保護フード部３０についてさらに説明する。保護フード部３０は、フレーム部１２の外周枠部１５の外縁１６から段差部１７を介してフレーム部１２よりも内径を小さくした内周保護フード部３１として形成される。内周保護フード部３１は内側に縮径して形成されることにより、保護フード部３０はフード付き眼鏡１０の正面や斜めから目視されにくくなる（図２参照）。そのため、フード部分は目立ちにくくなり外観が損なわれず、一般のフード付き眼鏡よりもデザイン性が高い。
【００３０】
保護フード部３０はフレーム部１２（１３，１４）と同一の樹脂材料によって一体に成形されている。また、フレーム部１２は前出の樹脂から成形されているため、保護フード部３０も同様である。使用する樹脂は透明度が高いため、被着用者の視界が保護フード部３０により遮られにくくなる。また、意匠性向上の目的からフレーム部１２のみを着色することも可能である。
【００３１】
図４及び図５に示すように、段差部１７はフレーム部１２の外縁１６から０．５〜２ｍｍ程度の段差量Ｇで形成される。段差部１７の段差量Ｇの大きさは、フレーム部１２の形状等から適宜決定される。段差が大きければ内周保護フード部３１はフレーム部１２に隠れ、外部側から視認されにくくなるため、外観への影響を小さくしつつ眼球やその周辺の適切な保護を図ることができる。また、フレーム部１２の外縁１６より内周保護フード部３１を小さく形成することができるため、使用する樹脂の量を少なくすることができる。フレーム部１２が太いデザインの場合は、段差量Ｇを大きくすることができるため、結果として内周保護フード部３１はより目立たない構成とすることができる。
【００３２】
また、図４及び図５に示すように、内周保護フード部３１の上側部分３２の下面３３はフレーム部１２の内周と面一であり、面一状部３７が形成されている。本実施例においては、内周保護フード部３１の上側部分３２だけでなく下側部分３４の上面３５もフレーム部１２の内周と面一の面一状部３８が形成されている。フレーム部１２の内周と内周保護フード部３１の内周が同一面に形成されることによりフレーム部１２との一体性が高まり、各部の強度が維持され、内周保護フード部３１は薄く形成されても内側から外側に向かう応力に対し強度が高くなる。そして、内周保護フード部３１の内周がレンズ１１まで滑らかに形成されることで、被着用者の視界に違和感を生じにくい。図５中、符号３９は先端部である。
【００３３】
図４に示すように、内周保護フード部３１は、智２５と離間しており、筒状の筒状部材４５の保護フード３０は独立して形成されるため、智２５の幅や厚みを保護フード部３０の形状に合わせる必要がない。そのため、デザイン選択が自由となり、保護フード部３０を小さく形成することができる。また、通常の眼鏡と同様にテンプル２０を折り曲げることができる。さらに、智２５は不自然な厚みにならず眼鏡１０の重量増加を防ぐことができる。これにより、被着用者がフード付き眼鏡１０の着用によるストレスや鼻や耳にかかる負担は少なくなる。一般的なフード付き眼鏡は、目尻側を覆うフードの形成のためにテンプルを幅広に形成されるデザインが多い。しかし、本発明のとおり、保護フード部３０は独立して形成されることにより、図６に示すように、テンプル２０は幅細に形成される。よって、フード付き眼鏡の軽量化やデザインの選択が自由となる。
【００３４】
図３及び図６に示すように、内周保護フード部３１のテンプル２０（２１，２２）側である外側部分４１，４２は、当該内周保護フード部３１の他の部分より筒状４５に大きく形成されている。結果的に、フード幅は広く形成されている。これにより、図７に示すように、内周保護フード部３１の形状が被着用者Ｈの目尻側の顔面の形状に対応できる。そこで、顔面と内周保護フード部３１との距離を小さく保つことができ、眼球及びその周辺を適切に保護することができる。
【００３５】
図３、図４及び図８に示すように、内周保護フード部３１のブリッジ１９側である内側部分４３，４４は鼻当て部４６，４７として一体に形成される。鼻当て部４６，４７は、内周保護フード部３１と一体であることから、内側部分４３，４４のフード幅が局部的に幅広に形成される。このため、構造が単純となるため、製造が容易となり構造強度も高まる。
【００３６】
図７及び図８に示すように内周保護フード部３１の先端部３９は、被着用者の眼窩（ここでは、眼球Ｅを取り巻く頭蓋骨の窪み及びその周辺部分を指す。）に対して環状に接する曲面形状４８に形成される。被着用者Ｈの顔面Ｆの凹凸に対応する形状とするため、内周保護フード部３１は眼球周りの眼窩近傍に対応したフードの形状に形成される。また、図示から把握されるように被着用者の眉の下に内周保護フード部３１の上側部分３２が位置し、眼球下の眼窩に下側部分３４が位置する。したがって眼窩の左右方向のみならず、上下方向も十分に保護される。
【００３７】
また、図７に示す側面図のように、内周保護フード部３１が被着用者Ｈの顔面Ｆに対応した局面形状４８で環状に眼窩周辺を覆うため、顔面の目尻側まで覆うことができ、異物等が内周保護フード部３１内に入りにくくなる。内周保護フード部３１の上側部分３２は眉よりも下に位置するため、眉周辺と当たりにくくなり額を傷つけにくくなる。また、内周保護フード部３１の先端部３９は、被着用者Ｈの顔面Ｆに接するため、図５の端面図に示すように、面取り状に形成される。これにより、被着用者は内周保護フード部３１の先端が肌に当接した時にも痛みを感じにくい。
【００３８】
さらに、他の実施例のフード付き眼鏡１０Ａでは、図９に示すように、鼻当て部４６，４７は内周保護フード部３１を構成する樹脂材料よりも柔軟な樹脂材料（例えば、シリコーン樹脂、各種のエラストマー、合成ゴム等）を使用することができる。当該樹脂材料により、鼻当て部の当接部５６，５７が形成される。そこで、鼻に係る負担を軽減することができ、跡が付きにくくなり痛みを感じにくくなる。このため、フード付き眼鏡１０の軽量化とともに、被着用者の負担が小さくなり、ストレスなく着用することができる。
【００３９】
以上述べたように、本発明のフード付き眼鏡１０は、段差部１７を介してフレーム部１２に保護フード部３０を形成することにより、フードは小さく形成されフード付き眼鏡１０を軽量化することができ、デザイン選択をより自由に行うことができるようになった。また、内周保護フード部３１の形状をテンプル２０側を筒状に大きく形成し、ブリッジ１９側に鼻当て部を一体に形成することで、容易に製作することができ、装着しやすくなった。さらに、上側部分３２の下面３３をフレーム部１２の内側面と面一にすることによって、フードの厚みを薄くした保護フード部３０の強度を向上することができた。
【符号の説明】
【００４０】
１０，１０Ａ    フード付き眼鏡
１１（１１Ｒ，１１Ｌ）    レンズ
１２（１３，１４）    フレーム部
１５    外周枠部
１６    外縁
１７    段差部
１９    ブリッジ
２０（２１，２２）    テンプル
２５（２６，２７）    智
２８    ヒンジ
３０    保護フード部
３１    内周保護フード部
３２    上側部分
３３    下面
３４    下側部分
３５    上面
３７，３８    面一状部
３９    端部
４１，４２    外側部分
４３，４４    内側部分
４５    筒状部材
４６，４７    鼻当て部
４８    局面形状
Ｈ    被着用者
Ｆ    顔面
【図１】
2014240886.tif 000003
【図２】
2014240886.tif 000004
【図３】
2014240886.tif 000005
【図４】
2014240886.tif 000006
【図５】
2014240886.tif 000007
【図６】
2014240886.tif 000008
【図７】
2014240886.tif 000009
【図８】
2014240886.tif 000010
【図９】
2014240886.tif 000011